(57)【要約】【課題】ドラム缶やペール缶等の缶に、残留物を排出するための孔を簡単に開けることができる缶孔開け工具を提供する。【解決手段】上下動自在な作業機６を有する作業車５の作業機６に取り付け自在な取り付け部２と、取り付け部２の底面に突設されたほぼ錐状の孔開け部３と、取り付け部２の上面に設けられ、かつ取り付け部２を作業機６に固定する固定手段４とから構成したもので、作業機６の動力を利用して簡単に缶７に孔７ａを開けることができるため、従来の手作業で缶７に孔７ａを開けていたときに比べて労働力の大幅な削減が図れると共に、多量の缶７であっても短時間で孔開け作業が行えるため、作業能率も大変よい。【選択図】図１
0003116695.tif 000002
【実用新案登録請求の範囲】
【請求項１】
上下動自在な作業機を有する作業車の前記作業機に取り付け自在な取り付け部と、前記取り付け部の底面に突設されたほぼ錐状の孔開け部と、前記取り付け部の上面に設けられ、かつ前記取り付け部を前記作業機に固定する固定手段とから構成したことを特徴とする缶孔開け工具。
【請求項２】
前記作業機は、フォークリフトトラックのフォークであって、前記フォークに嵌合自在なほぼ角筒状の取り付け部と、前記取り付け部の底面に突設されたほぼ錐状の孔開け部と、前記フォークの上面に先端部を圧着することにより、前記取り付け部を前記フォークの任意な位置に固定するボルトよりなる前記固定手段とから構成してなる請求項１に記載の缶孔開け工具。
【考案の詳細な説明】
【技術分野】
【０００１】
本考案は、農薬等の薬剤が収容されたドラム缶やペール缶等の缶に、残留物を排出するための孔を開けるための缶孔開け工具に関する。
【背景技術】
【０００２】
従来、農作物を育成するためには多くの農薬が使用されているが、これらの薬剤の多くはドラム缶やペール缶に収容されている。
例えば、サツマイモを栽培する農家の場合、作付け面積にもよるが、土壌中の土壌線虫を駆除するために、春先だけで３０〜５０缶程度の薬剤を土壌中に散布して土壌線虫を駆除している。
このため薬剤散布後多量の缶が空き缶となって残るが、これらを産業廃棄物として処理するためには、缶に残留する薬剤を完全に排出した状態で処理することが義務付けられている。
また空き缶の適正な処理方法として、缶に残っている薬剤を全て排出した後、缶の上面と底面に十字上の切り込みを入れて打ち抜くことにより、ほぼ角形の孔を開けた状態で１週間程度放置し、缶内の残留薬剤を自然に蒸発させた後、完全に臭いが無くなった状態で処理場に産業廃棄物として搬入し、処理することが推奨されている。
【０００３】
一方従来では、缶に残留物を排出するための孔を開ける作業を手作業で行っているが、孔を開ける缶の数量が多いため、これら作業は重労働な上、作業中残留物が衣服や体に付着する問題がある。
かかる問題を改善するため、ドラム缶やペール缶等の缶に残留する内容物を、簡単に排出できる内容物排出装置が例えば特許文献１に記載されている。
前記特許文献１に記載の缶の内容物排出装置は、廃棄物入り缶を正立状態として、その上面に孔開け手段により孔を開け、次に缶をほぼ倒立状態に傾斜させた状態で内容物押し出し手段を缶の底面から軸方向に貫通させて、缶の残留物を排出するようにしたもので、従来手作業で行っていた残留物の排出作業が自動化できる等の効果を有している。
【特許文献１】特開平１１−３５１０３号公報
【考案の開示】
【考案が解決しようとする課題】
【０００４】
しかし前記特許文献１に記載の缶の内容物排出装置では、缶を正立状態から到立状態に傾動自在に支持するケースや、油圧シリンダ等の押し下げ手段により缶の軸方向へ駆動される孔開け用カッタ等により全体が構成されているため、装置が大掛かりとなって、一般の農家では簡単に導入できない等の問題がある。
また処理する缶をケースに装着したり、孔を開けて残留物を排出した缶を再びケースから取り出す作業は手作業で行わなければならないため、ドラム缶のような重量の重い缶の場合苦渋作業となる上、缶より排出された残留物の処理を行わなければならない等の問題もある。
本考案はかかる問題を改善するためになされたもので、ドラム缶やペール缶等の缶に、残留物を排出するための孔を簡単に開けることができる缶孔開け工具を提供することを目的とするものである。
【課題を解決するための手段】
【０００５】
本考案の缶孔開け工具は、上下動自在な作業機を有する作業車の作業機に取り付け自在な取り付け部と、取り付け部の底面に突設されたほぼ錐状の孔開け部と、取り付け部の上面に設けられ、かつ取り付け部を作業機に固定する固定手段とから構成したものである。
【０００６】
前記構成により、作業機に取り付けた缶孔開け工具を作業機とともに下降させて、孔開け部を缶に突き刺すことにより、作業機の動力を利用して簡単に缶に孔を開けることができるため、従来の手作業で缶に孔を開けていたときに比べて労働力の大幅な削減が図れると共に、多量の缶であっても短時間で孔開け作業が行えるため、作業能率も大変よい。
また既存の作業車を利用して缶に孔を開けるようにしたことにより、別に動力を必要としないため、孔開けの容易な缶孔開け工具が簡単な構成で安価に得られるようになり、これによって一般の農家でも容易に導入することができる。
【０００７】
本考案の缶孔開け工具に使用する作業機は、フォークリフトトラックのフォークであって、フォークに嵌合自在なほぼ角筒状の取り付け部と、取り付け部の底面に突設されたほぼ錐状のあな孔開け部と、フォークの上面に先端部を圧着することにより、取り付け部をフォークの任意な位置に固定するボルトよりなる固定手段とから構成したものである。
【０００８】
前記構成により、缶孔開け工具が小型軽量に形成できるため、フォークへの脱着作業が容易かつ短時間で行える上、同時に複数の缶に孔を開けることができることから、一個ずつ缶に孔を空けていた従来のものに比べて作業能率が格段に向上する。
【考案の効果】
【０００９】
本考案の缶孔開け工具によれば、作業機の動力を利用して簡単に缶に孔を開けることができるため、従来の手作業で缶に孔を開けていたときに比べて労働力の大幅な削減が図れると共に、多量の缶であっても短時間で孔開け作業が行えるため、作業能率も大変よい。
【考案を実施するための最良の形態】
【００１０】
本考案の実施の形態を、図面を参照して詳述する。
図１は、缶孔開け工具の斜視図、図２は同正面図、図３は同側面図、図４及び図５は同作用説明図である。
図１に示す工具本体１は、取り付け部２と、取り付け部２の底面に突設された孔開け部３とからなる。
取り付け部２は、例えばフォークリフトトラックのような産業車両やトラクタのような農業用作業車（以下作業車という）５に装備された作業機６に取り付けるもので、作業機６がフォーク６ａの場合は、フォーク６ａに先端側より嵌合できるように次のように構成されている。
【００１１】
すなわち、フォーク６ａの幅及び厚さに、幅及び高さがほぼ等しいチャンネル部材２ａと、チャンネル部材２ａの開放端部２ｂ間に横架された例えば一対の横杆２ｃとからなる。
チャンネル部材２ａは開放端部２ｂを上向きにした状態となっていて、これら開放端部２ｂ間に横架された横杆２ｃは、フォーク５ａの長手方向に離間して互いに平行するように設けられており、各横杆２ｃには、取り付け部２をフォーク６ａの任意な位置、例えばほぼ中間部に固定するための固定手段４が設けられている。
固定手段４は例えばボルトにより形成されていて、各横杆２ｃにそれぞれ２個所上下方向に螺挿されており、横杆２ｃの上方に位置する頭部４ａをスパナ等の工具（図示せず）で締め付けることにより、取り付け部２をフォーク６ａの任意な位置に固定できるようになっている。
【００１２】
一方、取り付け部２の底面に突設された孔開け部３は、図１に示すようにほぼ三角錐状に形成されていて、底辺側が溶接等の手段で取り付け部２の底面に固着されており、鋭利な先端部により缶７の上面や底面等にほぼ三角状の孔７ａが開けられるようになっている。
【００１３】
次に前記缶孔開け工具を使用して缶７に孔７ａを開ける方法を、図４及び図５を参照して説明する。
缶７は例えば土壌線虫駆除用の液状薬剤が収容されていて、薬剤を使用して空き缶となった缶７は、残留物を完全に排出した状態で、産業廃棄物として処理する必要がある。
缶７に残留物を排出するための孔７ａを開けるに当たっては、作業車５の作業機６、すなわち左右のフォーク６ａに、先端側より工具本体１の取り付け部２を嵌挿し、フォーク６ａのほぼ中間部に達したら、固定手段４の頭部４ａをスパナ等の工具で締め付けて、図４に示すように孔開け部３が下向きとなるように工具本体１をフォーク６ａに固定する。
【００１４】
次に予めフォーク６ａとほぼ同じ間隔で缶７を路面上にセットしたら、作業車５に設置されたリフトシリンダ８によりフィンガボード６ｂを下降させて、フィンガボード６ｂに取り付けられたフォーク６ａを下降させ、フォーク６ａに取り付けた工具本体１の孔開け部３を缶７の上面に突き刺して、図５に示すように缶７の上面に孔７ａを開けるもので、孔開け部３の形状をほぼ三角錐状としたことにより、缶７の上面にほぼ三角形状の孔７ａを開口することができる。
【００１５】
また一対のフォーク６ａにそれぞれ工具本体１を取り付けることにより、２個の缶７の上面に同時に孔７ａを開けることができる。
缶７の上面に孔７ａを開けたら、フォーク６ａを一旦上昇させた後、手作業で缶７を上下反転させて再びフォーク６ａを下降させ、各缶７の底面にも孔７ａを開けるもので、前記作業を繰り返すことにより、多量の缶７であっても短時間で孔開け作業が行えるようになる。
孔開けが完了した缶７は、空き地等に集めてそのまま１週間程度放置すると、缶７の残留物は自然蒸発するので、缶７の臭いが完全になくなったところで、「産業廃棄物運搬車」と表示したトラック等の運搬車両を使用して処理場へ運搬するもので、農薬等の薬剤が収容されていた缶７であっても、適正な処理をすることにより、産業廃棄物として処分することができるようになる。
【００１６】
なお前記実施の形態では、工具本体１の孔開け部３を三角錐状に形成したが、四角錐等の多角錐にしても、十字形の錐状にしてもよく、要は缶７内の残留物が早期に排出できる孔７ａが開口できるものであれば、その形状には限定されるものではない。
またフォーク６ａに取り付けた２個の工具本体１により同時に２個の缶７に孔７ａを開けるようにしたが、１個づつ開けるようにしてもよく、缶７の上面と底面に限らず、缶７の外周面に孔７ａを開けるようにしてもよい。
さらに孔開けに使用する作業車５はフォークリフトに限らず、ホイルローダ等の産業車両やトラクタ等の農業用作業車であってもよく、工具本体１を上下動できる作業機６を有する作業車全般に適用することができる。
【図面の簡単な説明】
【００１７】
【図１】本考案の実施の形態になる缶孔開け工具の斜視図である。
【図２】本考案の実施の形態になる缶孔開け工具の正面図である。
【図３】本考案の実施の形態になる缶孔開け工具の側面図である。
【図４】本考案の実施の形態になる缶孔開け工具の使用状態を示す作用説明図である。
【図５】本考案の実施の形態になる缶孔開け工具の作用説明図である。
【符号の説明】
【００１８】
１    工具本体
２    取り付け部
３    孔開け部
４    固着手段
５    作業車
６    作業機
６ａ    フォーク
７    缶
７ａ    孔
【図１】
0003116695.tif 000003
【図２】
0003116695.tif 000004
【図３】
0003116695.tif 000005
【図４】
0003116695.tif 000006
【図５】
0003116695.tif 000007